(57)【要約】【課題】分煙方式の構成を簡素化することによりその製造コストの低減を図る。【解決手段】分煙装置において形成されるエアーカーテンの大きさを、遊技者の口の高さにほぼ等しい水平面において、０．３〜０．６ｍ／ｓの気流の左右幅寸法を約１５〜２０ｃｍとし、前後幅寸法を３５ｃｍ以上とし、電動ハンドルの高さにほぼ等しい水平面においても同等以上とし、さらに風速０．６ｍ／ｓ以上の気流の左右幅寸法を約１５〜２０ｃｍとした。【選択図】        図１
2008005979.tif 000002
【特許請求の範囲】
【請求項１】
隣り合う遊技機の境界上部に設けられて、吹出口より下方に向かって空気を吹き出す送風機を備え、吹き出された空気により上下方向に延びるエアーカーテンを形成して、隣席する遊技者の発する悪臭を遮断する分煙装置であって、
形成される前記エアーカーテンの大きさを、
遊技者の口の高さにほぼ等しい水平面において、０．３〜０．６ｍ／ｓの気流の左右幅寸法を約１５〜２０ｃｍとし、前後幅寸法を３５ｃｍ以上とし、
電動ハンドルの高さにほぼ等しい水平面において、０．３〜０．６ｍ／ｓの気流の左右幅寸法を約１５〜２０ｃｍとし、前後幅寸法を３５ｃｍ以上とし、風速０．６ｍ／ｓ以上の気流の左右幅寸法を約１５〜２０ｃｍとした
ことを特徴とする分煙装置。
【請求項２】
前記送風機が回転軸を鉛直方向に延設された軸流ファンを有し、吹き出す空気が前方斜め下方向に誘導されるように吹出口の壁面が傾斜して配設されている
ことを特徴とする請求項１に記載の分煙装置。
【請求項３】
前記前方斜め下方向に吹き出す空気の角度が前後方向で可変するように、前記吹出口に吹出しルーバーが回動可能に設けられている
ことを特徴とする請求項２に記載の分煙装置。
【請求項４】
装置の上部の外殻を形成して内部に駆動モータを収納する本体ケースと、該本体ケースの下部に設けられ透明材料で作成され前後方向の張り出し寸法が１０ｃｍ以下とされ前記傾斜した壁面で成る吹出口を構成する吹出しダクトを有する
ことを特徴とする請求項２または３に記載の分煙装置。
【請求項５】
運転入切スイッチ及び出力強弱スイッチの少なくともいずれかが遊技者から操作可能な位置に設けられている
ことを特徴とする請求項１から４のいずれか１項に記載の分煙装置。
【請求項６】
前記本体ケースの吸入口が設けられた上面に該吸入口を覆う脱臭フィルタが前方に引き出して取り外せるよう着脱可能に取り付けられている
ことを特徴とする請求項１から５のいずれか１項に記載の分煙装置。
【請求項７】
前記脱臭フィルタが定期的に交換される
ことを特徴とする請求項６に記載の分煙装置。
【請求項８】
遊技機上方のデータ表示機と同じ高さに設けられている
ことを特徴とする請求項１から７のいずれか１項に記載の分煙装置。
【請求項９】
遊技機上方のメンテナンス板に取り付けられている
ことを特徴とする請求項１から７のいずれか１項に記載の分煙装置。
【発明の詳細な説明】
【技術分野】
【０００１】
本発明は、パチンコ機等が多数台並ぶ遊技場において、隣り合う遊技機間の上方スペースに設置され上方から下方へと向かう微風のエアーカーテンを当該遊技機間に形成して、隣席の喫煙者のタバコの煙・酒気・口臭等の悪臭を遮断する分煙装置に関する。
【背景技術】
【０００２】
パチンコ機等が多数台並ぶ遊技場の空気清浄装置として、従来、以下の汚染空気吸引清浄装置が提案されている。つまり、従来の汚染空気吸引清浄装置は、遊技機等の横に遊技機とは別に設けられた縦長の風洞を有し、この風洞内部の遠心ブロアーによって遊技機等の横に位置する吸入口より汚染空気を吸引し、風洞内部の吸入口後方に設けたオゾン発生部よりオゾンガスを発生させて、このオゾンガスと吸引した汚染空気とを混合して風洞上方の排出口より上方に向けて放出する。このように汚染空気とオゾンガスとを混合することにより汚染空気を清浄する（例えば、特許文献１参照）。
【０００３】
また、以下のような提案もされている。すなわち、パチンコ機の正面部分を構成する正面ガラスの外表面に脱臭作用を有する透明な酸化チタン（ＴｉＯ２）薄膜を形成することにより、或いは正面ガラスの外表面にイオンスパッタリング法によって銀（Ａｇ）を添着することにより、酸化チタン（ＴｉＯ２）や銀（Ａｇ）の脱臭作用を利用してパチンコ機にタバコの匂いが付着しないようにする提案がされている（例えば、特許文献２参照）。
【０００４】
【特許文献１】特開２００４−１２５２９２号公報
【特許文献２】特開平１０−０８５４１２号公報
【発明の開示】
【発明が解決しようとする課題】
【０００５】
しかしながら、上述のような従来の汚染空気吸引清浄装置においては、風洞上部の排出口より上方に向けて大量の空気を放出するため、特に冬場などでは空調された暖気が下降しにくくなり、空調効率も悪く装置の騒音、消費電力ともに高いという問題があった。また、パチンコ機あるいはスロット機などの横に遊技機等とは別の縦長の風洞を設け、この風洞内部に遠心ブロアーによる吸引機構を設け、遊技機等の横に位置する吸入口より周囲の臭気等の汚染空気を吸引するため、吸引部分を設けるスペースに制約があり、吸引効率は低く、装置が大型で構造も複雑という問題もあった。
【０００６】
一方、酸化チタンや銀の脱臭作用を利用してパチンコ機にタバコの匂いが付着しないようにする提案に関しては、パチンコ機に臭いが付着することについてはある程度解消できるが、隣席の喫煙者のタバコの煙・酒気・口臭等の悪臭を遮断できるものではない。
【０００７】
本発明は、係る従来の問題点を解決するためになされたものであって、その課題とするところは、分煙方式の構成を簡素化することによりその製造コストの低減を図ることであり、さらに、低騒音で省電力な常時運転に好適な分煙装置を得ることであり、そして、分煙装置の取付施工性の向上、使い勝手の向上及び能力の向上を推進することである。
【課題を解決するための手段】
【０００８】
上述の課題を達成するために、この発明に係る分煙装置は、隣り合う遊技機の境界上部に設けられて、吹出口より下方に向かって空気を吹き出す送風機を備え、吹き出された空気により上下方向に延びるエアーカーテンを形成して、隣席する遊技者の発する悪臭を遮断する分煙装置であって、形成されるエアーカーテンの大きさを、遊技者の口の高さにほぼ等しい水平面において、０．３〜０．６ｍ／ｓの気流の左右幅寸法を約１５〜２０ｃｍとし、前後幅寸法を３５ｃｍ以上とし、電動ハンドルの高さにほぼ等しい水平面において、０．３〜０．６ｍ／ｓの気流の左右幅寸法を約１５〜２０ｃｍとし、前後幅寸法を３５ｃｍ以上とし、風速０．６ｍ／ｓ以上の気流の左右幅寸法を約１５〜２０ｃｍとしたことを特徴とする。
【０００９】
ここで、遊技者の発する悪臭とは、遊技者のタバコの煙・酒気・口臭等の悪臭のことである。
【発明の効果】
【００１０】
この発明によれば、分煙方式の構成を簡素化することによりその製造コストの低減を図ることができ、さらに、低騒音で省電力な常時運転に好適な分煙装置を得ることができ、そして、分煙装置の取付施工性の向上、使い勝手の向上及び能力の向上を推進することができる。
【発明を実施するための最良の形態】
【００１１】
以下、本発明にかかる分煙装置の実施の形態を図面に基づいて詳細に説明する。なお、この実施の形態によりこの発明が限定されるものではない。
【００１２】
実施の形態１．
図１は本発明にかかる実施の形態１の分煙装置が設置された遊技場の斜視図である。図１において、例えばパチンコ店のような遊技場においては、遊技機であるパチンコ機１が多数台並んで設置されている。パチンコ機１は、正面ガラス３にて覆われた本体部４と、玉を出し入れする上段玉受皿５、下段玉受皿６及び玉を打ち出す電動ハンドル７などが設けられた操作部８とに大きく分けられる。
【００１３】
パチンコ機１正面ガラス３上方のデータ表示機取付面１０にデータ表示機９が取付けられている。そして、データ表示機９のさらに上方にメンテナンス板２が設けられている。このメンテナンス板２は、パチンコ機１内部の機械類をメンテナンスする場合に使用され、下開きに開閉するようになっている。
【００１４】
パチンコ機１の正面ガラス３とデータ表示機９の取付面１０とはほぼ同一面上にある。本実施の形態の分煙装置１２は、隣接する２台のパチンコ機１の上方で、データ表示機９とほぼ同一高さの位置に吹出口を下方に向けられて取り付けられている。
【００１５】
パチンコ機１の下方に小物を置くことができるテーブル１１が設けられている。テーブル１１の奥行き寸法は約１８ｃｍであり、このテーブル１１に灰皿が設けられている。なお、場所によってはテーブル１１に替わって棚が設けられているところもある。本実施の形態の分煙装置１２においては、本体下面に設けられた吹出口の高さから、遊技者の口の高さまでのまでの距離は３０〜５０ｃｍである。同じく、灰皿のあるテーブル１１の高さまでの距離は約７０ｃｍである。同じく、床面までの距離は約１６０ｃｍである。パチンコ機１の左右幅寸法は約５０ｃｍであり、隣り合う２台のパチンコ機の間隔は約２０ｃｍである。これにより、１人の遊技者の占有するスペースの左右幅寸法は約７０ｃｍであり、隣り合う二人の間はおおよそ２５〜３０ｃｍ離れることとなる。
【００１６】
図２は分煙装置１２の右側面側から見た横断面図である。図３は分煙装置１２の正面側から見た横断面図である。図４は分煙装置１２の上面側から見た上面図である。図５は分煙装置１２の下面側から見た底面図である。図６は分煙装置１２の吹出しルーバーを取り外した状態で下面側から見た底面図である。図７は分煙装置１２の斜め下方正面から見た斜視図である。図８は分煙装置１２の斜め下方正面から見た分解斜視図である。図２乃至８に示されるように、分煙装置１２は、装置上部の外殻を形成する本体ケース２５と装置の下部外殻を形成する吹出しダクト３０とを有している。
【００１７】
図３、図７及び図８に示されるように、本体ケース２５は、概略箱型形状を成し、内部には微風エアーカーテンを形成する送風機２８が内蔵されている。送風機２８は、軸流ファン式の送風機であり、軸流ファン１６とこの軸流ファン１６を回転駆動する駆動モータ１３と軸流ファン１６の外周部を覆うファンケーシング１７とから構成されている。送風機２８は、図２に示されるように、駆動モータ１３の回転軸１３ａが上下方向すなわち鉛直方向に延びるように配置されている。図７及び図８に示されるように、本体ケース２５の正面は軸流ファン１６の形状に合わせて丸みをおびて突出する形状を成しており、前方への突出容積が最大限に小さくなるようにされている。このようにして、管理者がデータ表示機９を確認する際に視界を遮ることが少しでも軽減されるよう配慮されている。
【００１８】
吹出しダクト３０は、視界を遮ることを軽減する目的から透明樹脂等の透明材料で作製されており、図７及び図８に示されるように、本体ケース２５の下部に設けられている。吹出しダクト３０は、概略断面矩形の短尺筒状を成し、本体ケース２５の下部に下向きに取り付けられ、送風機２８の発生する空気流を吹き出す吹出口２３を形成している。４つの壁面で囲まれることにより成る吹出しダクト３０は、送風機２８から吹き出す空気を前方斜め下方向に向かせる目的で設けられている。図２に示されるように、詳細には４壁面のうち奥側の１壁面３０ｂが送風機２８から吹き出す空気が前方斜め下方向に誘導されるように傾斜している（壁面３０ｂが取付面１０に対して約１０°前方方向に傾斜している）。また、４壁面のうち手前側の１壁面３０ａが他の３壁面より短くされ吹出口２３を形成する開口が若干前方を向くようにされている。
【００１９】
吹出しダクト３０は、遊技者がデータ表示機９を見る際に視界を遮ることがないように配慮して、ある程度透けて見えるよう上述のように透明材料にて作製されており、また、遊技者の視界を大きく遮ることのないように前後方向の張り出し寸法が１０ｃｍ以下とされている（４壁面のうち手前側の１壁面３０ａの取付面１０からの距離が１０ｃｍ以下とされている）。なお、吹出口２３は前後方向に８０ｍｍ程度の大きさに制限され、視界を遮ることを軽減している。
【００２０】
吹出しダクト３０の内部には、送風機２８から吹き出す空気をさらに安定して前方斜め下方向に向かせる目的で吹出しルーバー２４が設けられている。図２に示されるように、吹出しルーバー２４は吹出口２３の中央部に配設され、各々異なる角度とされた４枚の羽根を有している。４枚の羽根は、吹出口２３の奥側の壁面３０ｂ（上述のように取付面１０に対して約１０°前方方向に傾斜している）に対して５°ずつ角度を増すように、すなわち１５°、２０°、２５°、３０°となるように形成され、最も手前側の羽根は取付面１０より約３０°傾くように形成されている。
【００２１】
図７及び図８に示されるように、吹出しルーバー２４は、両側部に設けられた回転軸２４ｃを吹出しダクト３０に設けられた軸穴３０ｃに回動可能に軸支されており、図２に実線にて示す定位置から前後方向に所定角度回動するようにされている。そして、吹出しルーバー２４の角度を変えることにより送風機２８から吹き出す空気の角度が前後方向で可変するようにされている。分煙装置１２は、このような構造により吹出口２３から吹き出す空気が真下ではなく斜め前方に下向き吹き出すようにされている。また、このように吹出口２３に吹出しルーバー２４を設けることにより、管理者や遊技者が吹出口２３から指などを挿入して回転物である軸流ファン１６に触れることを防止している。
【００２２】
なお、本実施の形態の吹出しルーバー２４は、図２に示されるように断面直線形状の羽根を有しているが、この羽根を前方に凹の断面湾曲形状の羽根としてもよい。さらに、吹出口２３の奥側の壁面３０ｂもあわせて前方に凹の断面湾曲形状としてもよい。このような構成とすることにより、送風機２８から吹き出す空気をより安定して前方斜め下方向に向かせることができる。
【００２３】
図８に示されるように、装置の裏面側の外殻を構成するとともに装置の取付面１０への取り付け部材として機能する基台１５に、駆動モータ１３が固定されている。基台１５は、本体ケース２５や吹出しルーバー２４とともに装置の外殻（ケーシング）を構成している。図３に示されるように、基台１５の左右方向両端部に設けられたフランジ部に取付穴１５ａが設けられており、分煙装置１２は、セルフタップ機能を有したドリリングネジ３２等を取付穴１５ａに挿入されて、データ表示機９のわきのデータ表示機取付面１０に締着されている（図４）。
【００２４】
本体ケース２５の上面に吸入口１８が設けられている。本実施の形態の分煙装置１２においては、本体上面に送風機２８の吸入口１８を設けたため、正面に吸入口がなく意匠性に優れている。そして、吸入口１８を覆うように脱臭フィルタ２０が配設されている。
【００２５】
図３、図７及び図８に示されるように、本体上部前面に前後方向に引き出し式に着脱自在なフィルターホルダー１９が設けられている。このフィルターホルダー１９は、前方向に引き出すことにより取り外すことができる。そして、このフィルターホルダー１９に脱臭フィルタ２０が装填されている。本体ケース２５の上面に設けられた格子状グリル部分は、脱臭フィルタ２０がフィルターホルダー１９に確実に収められるようにフィルターホルダー１９の前面を支えている。図４に示されるように、格子状グリル部分に開成された複数のスリット状の開口穴は、メンテナンス時に管理者が軸流ファン１６に指など触れることがないように各々１０ｍｍ程度の幅とされている。このように、本体上部前面に前後方向に引き出し式に着脱するフィルターホルダー１９を設け、これに脱臭フィルタ２０を装填する構造としたため、片手でフィルターホルダー１９を取り外すことが出来、例えば、別のフィルターホルダー１９に新品の脱臭フィルタ２０を取りつけて置き、これと交換することで脱臭フィルタ２０の交換作業が容易となり、短時間できるようになっている。
【００２６】
また、本体ケース２５の吹出口２３の側方には、図５で示すように、運転入切スイッチ２６及び出力強弱スイッチ２７が設けられている。これにより、遊技者が任意に運転・停止を選択したり、エアーカーテンの大きさを２段階に切り替えたりすることができる。運転入切スイッチ２６により、例えば禁煙者同士が隣り合って分煙機能が必要ない場合には運転を停止することができる。また、出力強弱スイッチ２７により、気流が嫌いな遊技者の場合に弱運転にすることもできる。これらスイッチにより、分煙装置１２を設置するパチンコ店管理者が、エアーカーテンの機能を遊技者に強制するのではなく、この機能を必要とする者が必要に応じて使用できるサービスを提供することができる。
【００２７】
以上のように本実施の形態の分煙装置１２は、既に設置済みの遊技機間に容易に設置することができる。このように設置が容易であるため、例えば、営業時間が終了した夜間に大量に設置することも可能である。また、遊技場管理者の保守点検の頻度に関しては、脱臭フィルタ２０の交換が３ヶ月に一度程度である。送風機２８のメンテナンスはほとんど不要であり、保守の手間を最小限に留めることができる。
【００２８】
本実施の形態の分煙装置１２は、本体上面の吸入口１８からタバコの煙を吸引するが、タバコの煙は上昇方向に流れるためタバコの煙を吸い込むことは少なく、さらに脱臭フィルタ２０を備えていることもあり、たとえ吸い込んだとしても周辺空気と効率良く攪拌でき臭いを低減することができる。さらに、分煙装置１２は、パチンコ機の上方の空気をパチンコ機の下方へ移動させるため、例えば冬場などに遊技場内の空気を効率良く攪拌することができる。また、脱臭フィルタ２０が空気中の臭いを吸着する機能とあいまって遊技場内の空気の清浄をすることができる。
【００２９】
次いで、送風機２８の能力について言及する。本実施の形態の送風機２８は、羽根外径Φ８５、羽根軸方向寸法３８ｍｍで例えばパイプ用ファンなどに使用されているものである。駆動モータ１３は、コンデンサーランモーターで極数は２極であり非常に小型で消費電力も低い大量生産型のものである。羽根外形部分を覆う風洞部の内径寸法はΦ９０ｍｍである。吹出口２３には奥行き寸法が約２５ｍｍ厚み２ｍｍの吹出しルーバー２４が４枚設けられており、左右幅寸法は吹出口２３の幅と同じ９０ｍｍで前後幅寸法は７２ｍｍであり、吹出面積はルーバーの部分を除いて６０ｃｍ2である。この送風機２８の吸入口１８に、大きさ約９６ｍｍ×９３ｍｍ、厚さ約２ｍｍの脱臭フィルタ２０が設けられている。脱臭フィルタ２０の圧損は、風量４０ｍ３／ｈ時でフィルタ通過風速１．６ｍ／ｓ時、約５Ｐａである。
【００３０】
図９は分煙装置１２が形成するエアーカーテンの風速測定位置を示す図である。図１０は分煙装置１２の脱臭フィルタ２０を外した状態で、出力が通常の場合の吹出口２３から５０ｃｍ下方の水平面位置の吹出風速分布を示す説明図である。図１１は分煙装置１２の脱臭フィルタ２０を外した状態で、出力が通常、吹出しルーバー２４を定位置から角度を５°だけ前方方向に回転させた場合の吹出口２３から５０ｃｍ下方の水平面位置の吹出風速分布を示す説明図である。上述の状態で送風機２８の能力は、周波数６０Ｈｚにて風量は４４．０ｍ3／ｈ、回転数２２５０／ｍｉｎ、平均吹出風速２．０ｍ／ｓ、消費電力２．５Ｗ、騒音３３．０ｄＢであった。この風速分布は、図９に示す位置にて測定しており、例えば左右方向距離１５ｃｍとは、吹出口２３の中心から左側に１５ｃｍ離れた位置での吹出し風速であり、左右方向距離−５ｃｍとは、吹出口２３の中心から右側に５ｃｍ離れた位置での吹出し風速を示す。
【００３１】
ここで、吹出口２３から５０ｃｍ下方の水平面位置の風速分布は、遊技者の口の位置の高さでの吹出風速分布にほぼ等しい。風速０．３ｍ／ｓは、外乱がない状態での分煙効果を得るために最低必要な風速であり、また、気流を感じない程度の微風である。風速０．６ｍ／ｓであれば、分煙効果は確実に発生する。図１０に示したものは、出力を通常とした場合のものであり、風速０．３〜０．６ｍ／ｓの気流の左右幅寸法は約１７ｃｍであるため、また、隣り合う遊技者と遊技者とは約３０ｃｍ離れているため、例えば遊技者が肩などに気流を感じて不快になるということがない。また、風速０．３〜０．６ｍ／ｓの気流の前後幅寸法は約３３ｃｍであるため良好に遮断することができる。
【００３２】
図１１に示したものは、出力が通常で、吹出しルーバー２４を定位置から約５°だけ前方に回転させた場合のものである。風速０．３〜０．６ｍ／ｓの気流の左右幅寸法は吹出しルーバー２４を回転させない場合の約１７ｃｍ程度に対して、わずかに広くなり２０ｃｍ程度となっている。隣り合う遊技者と遊技者とは約３０ｃｍ離れているため、遊技者が肩などに気流を感じて不快になることがないことは、吹出しルーバー２４を回転させない場合と同様である。また、風速０．３〜０．６ｍ／ｓの気流の前後幅寸法は、吹出しルーバー２４を回転させない場合の約３３ｃｍに比べ、約３７ｃｍとなり、わずかではあるがエアーカーテンの遮断範囲が広くなっている。また、吹出口２３から８０ｃｍ下方の水平面位置の風速分布は、テーブル１１の位置の高さのものであり、灰皿の位置や電動ハンドル７の位置での吹出風速分布にほぼ等しい。
【００３３】
図１２に示したものは、出力を通常とした場合のものであり、風速０．３〜０．６ｍ／ｓの気流の左右幅寸法は、壁から２０ｃｍ以上離れた点において約１５ｃｍであり、壁から２０ｃｍの位置では約３０ｃｍである。遊技者と遊技者とは３０ｃｍ程度離れているため、例えば遊技者が電動ハンドル７を持つ手の部分で気流を感じて不快に感じる風速０．６ｍ／ｓ以上の気流の左右幅寸法は約１５ｃｍ程度ある。しかしながら、気流は左右方向に偏っており、左右方向寸法の中心は−１０ｃｍであり、つまり右側に１０ｃｍ程度偏っている。これは、軸流ファン特有の特徴であり、旋回成分と吹出しルーバー２４の干渉の影響で発生する。軸流ファンの回転方向が逆になれば、この偏りは反対の左側になる。左右方向寸法の中心は右側に１０ｃｍ程度偏っているが、通常は電動ハンドル７は右手で持つため、この偏りが都合良く作用して右手に気流を感じにくくなる。また、この気流の左右方向の偏りを避けたい場合には、図８で示す吹出しルーバー２４の左右中央に縦方向にも羽根を設けると偏りが軽減される。さらに装置には後述するような出力を低下させるモード機能もあり偏りの軽減について問題はない。この場合、灰皿の煙なども良好に遮断でき、微風速であるため、喫煙する際にも支障がない。また、最大風速のポイントは前後方向で約３０ｃｍの位置であるため、テーブル１１の奥行き寸法が１８ｃｍあっても、エアーカーテンの風速が早い気流がテーブルに衝突して、灰皿の中のタバコの灰が飛び散ってしまうといった不具合も解消される。
【００３４】
図１３に示したものは、出力を通常として、吹出しルーバー２４を約５°だけ前方に回転させた場合のものである。図１２のものと比べると、風速０．３〜０．６ｍ／ｓの気流の左右幅寸法が大きくなっており、壁からの距離も吹出しルーバー２４を調整しない場合の３７ｃｍ程度から４２ｃｍ程度にエアーカーテンの遮断範囲が広くなっている。これは、吹出しルーバー２４により、真下方向に吹出される気流を前方向に屈曲させる時にこの吹出しルーバー２４にて気流が左右方向へも広げられるためである。但し、後述するようにエアーカーテンの遮断範囲は、吹出し口の開口面積を小さくすれば範囲は狭くできるため、先ずはエアーカーテンの遮断範囲をどこまで確保できるか検討した後に、徐々に吹出し口の開口面積を小さくしてエアーカーテンが必要ない部分の気流を無くする試みを行うと良い。一般的に風量がほぼ同一で吹出口２３の開口面積を小さくすると、吹き出し方向の短距離までは気流は良く到達するが、距離が離れると減衰が大きい。そのため、この特性を利用して、吹出口２３から８０ｃｍ下方の水平面位置の風速分布において、エアーカーテンの遮断範囲を小さくすることは容易に実現することができる。また、吹出口２３から１６０ｃｍ下方の時点の最大風速、すなわち床面に近い部分の風速は０．５ｍ／ｓであり、前後位置は約４０ｃｍ程度であった。
【００３５】
図１４に示したものは、出力を所定量減、すなわち回転数を９０％に減じて遮断能力を調べたものである。上述の状態で送風機２８の能力は、周波数６０Ｈｚにて風量は４０．０ｍ3／ｈ、回転数２０００／ｍｉｎ、平均吹出風速１．８ｍ／ｓ、消費電力２．０Ｗ、騒音３０．０ｄＢであった。図１４に基づいて、吹出口２３から５０ｃｍ下方の水平面位置の風速分布を詳細に説明する。風速０．３〜０．６ｍ／ｓの気流の左右幅寸法は出力通常の場合と同様、約１７ｃｍであった。また、風速０．３〜０．６ｍ／ｓの気流の前後幅寸法も約３２ｃｍであるため良好に遮断することができた。さらには、出力が通常、回転数が２２５０／ｍｉｎの場合と比べ、エアーカーテンの中心部分の最大風速は、風速１．２〜１．５ｍ／ｓであったものが風速０．９〜１．２ｍ／ｓに低下しており、より気流感が少ないエアーカーテンを形成することができた。
【００３６】
一般的に送風機２８を回転数制御する場合、風量は回転数に、軸動力は回転数の３乗に比例し、騒音は回転数の６乗に比例する。コンデンサーランモーターの場合、モーター効率は回転数にほぼ比例するため、消費電力は回転数比の２乗で低下する。
【００３７】
ここまでの説明は、脱臭フィルタ２０が設けられていない場合であったが、次に上述の厚さ約２ｍｍの脱臭フィルタ２０が設けられている場合について説明する。脱臭フィルタ２０の圧損は、風量４０ｍ3／ｈ時でフィルタ通過風速１．６ｍ／ｓ時、約５Ｐａである。そして、脱臭フィルタ２０を取り付けた場合には風量が約１５％低下した。そして、送風能力（回転数）を約１５％アップさせることにより、脱臭フィルタ２０を設けない場合とほぼ同等となる特性を得られることが試験により解った。脱臭フィルタ２０を設けない出力通常時は、回転数が２６００／ｍｉｎで、騒音は３６ｄＢ、消費電力は３．５Ｗ程度であり、出力を所定量減とした場合は、回転数が２３００／ｍｉｎで、騒音は３３ｄＢ、消費電力は２．５Ｗ程度であった。
【００３８】
以上の結果より、エアーカーテンの大きさの最適値は、遊技者の口の位置の高さにほぼ等しい吹出口２３から５０ｃｍ下方の水平面位置の風速分布において、例えば遊技者が肩などに気流を感じて不快にならず分煙効果が確実に発生する風速として、０．３〜０．６ｍ／ｓの気流の左右幅寸法を１５〜２０ｃｍ程度とし、前後幅寸法を３５ｃｍ以上とすることにより良好に遮断できることが解った。
【００３９】
また、灰皿や電動ハンドル７の位置にほぼ等しい吹出口２３から８０ｃｍ下方の水平面位置の風速分布は、例えば遊技者が電動ハンドル７を持つ手の部分で気流を感じて不快に感じないように、さらには灰皿のタバコの灰が飛び散らないように、風速０．６ｍ／ｓ以上の気流で、左右幅寸法を１０ｃｍに抑える必要がある。また分煙効果が確実に発生する風速としては、吹出口２３から５０ｃｍ下方の水平面位置と同様、０．３〜０．６ｍ／ｓの気流の左右幅寸法を１５〜２０ｃｍとし、前後幅寸法は３５ｃｍ以上とすることにより良好に遮断できることが解った。
【００４０】
なお、本実施の形態においては、多数併設される遊技機として、パチンコ店のパチンコ機を例に挙げているが、遊技機としては、パチンコ機に限らず、例えばスロット機やその他の機器であってもよい。また、本実施の形態の分煙装置１２は、隣り合うパチンコ機の間のデータ表示機取付面１０に取り付けられているが、必ずしもデータ表示機取付面１０に取り付けられる必要はなく、隣り合う遊技機間の上方に設置されれば所定の効果を得ることができる。
【００４１】
以上のように本実施の形態の分煙装置は、パチンコ機あるいはスロット機などの隣り合う遊技機間の上方に設置され、製品下面に設けられた吹出口２３より下方に向かう微風エアーカーテンを形成することにより、隣席の喫煙者のタバコの煙・酒気・口臭等の悪臭を遮断する分煙装置であって、微風エアーカーテンの大きさを遊技者の口の位置の高さにほぼ等しい吹出口２３から５０ｃｍ下方の水平面位置において、０．３〜０．６ｍ／ｓの気流の左右幅寸法を１５〜２０ｃｍ程度とし、前後幅寸法は３５ｃｍ程度以上とし、灰皿の位置や、電動ハンドル７の位置にほぼ等しい吹出口２３から８０ｃｍ下方の水平面位置においても、０．３〜０．６ｍ／ｓの気流の左右幅寸法を１５〜２０ｃｍ程度とし、前後方向で３５ｃｍ程度以上とし、さらに風速０．６ｍ／ｓ以上の気流の左右幅寸法は１５〜２０ｃｍ程度に抑えるように構成する。
【００４２】
このような構成により本実施の形態の分煙装置１２においては、遊技者がエアーカーテンにより不快になることがなく、さらに灰皿のタバコの灰などを吹き飛ばすというようなこともない。また、床面部分の最大風速を１．０ｍ／ｓ以下としているので床面の埃などを巻き上げることもない。さらには、空調機の気流や人の移動でエアーカーテンによるタバコの煙の遮断がうまく機能しない場合でも、その煙が一時的に一ヶ所に滞留することを抑制することができ、臭いも気にならないレベルにすることができる。さらに、タバコの煙がパチンコ機付近に滞留して、パチンコ機の例えば正面ガラスに付着することも抑制することができる。
【００４３】
本実施の形態の分煙装置１２の大きさは、高さ寸法は１５５ｍｍ、左右幅寸法は１１０ｍｍで速結端子部分の収納スペースを含めて１３５ｍｍ、奥行き寸法は吹出口２３側で８０ｍｍ、吸入口１８側で１００ｍｍ、質量は本体ケース２５及び吹出しダクト３０を樹脂にて作製した場合で約６００ｇである。製品の取付工事に関しては、図３及び図４で示すように本体ケース２５を取外すことなく、基台１５の左右方向両端部に設けられたフランジ部に設けられた取付穴１５ａにドリリングネジ３２等を挿入して締着することができ、大量な数の分煙装置１２を短時間で取り付けることが可能である。
【００４４】
実施の形態２．
図１８は本発明に係る実施の形態２の分煙装置が設置された遊技場の斜視図である。図１８において、本実施の形態の分煙装置４２は、データ表示機取付面１０よりさらに上方のメンテナンス板２に取り付られている。そして本実施の形態における分煙装置４２の吹出口（本体下面）から遊技者の口までの距離及び灰皿までの距離は、図１に示す実施の形態１のもの比べ２０ｃｍ程度大きくなるが、送風機の出力を大きくすることで同等の効果を得ることができる。
【００４５】
本実施の形態においては、メンテナンス板２に分煙装置４２を取り付けるので、分煙装置４２が重ければメンテナンス板２の開閉に支障をきたす。しかしながら、近年、コンデンサーランモーターも非常に小型で軽量なものが開発されており、このような軽量な小型モーターを使用することにより、分煙装置４２を約６００ｇに軽量化することが可能であり、これによりメンテナンス板２への取り付けも可能となる。なお、コンデンサーランモーターは、電子部品などを使用していないため他機器への電波障害などの心配がない。
【００４６】
また、場所によってはデータ表示機取付面１０とメンテナンス板２との間に棚が設けられている遊技場もあるが、このような場合には、取付金具を使用して、例えば取付金具はデータ表示機取付面１０に固定して、分煙装置４２が棚の前方にくるように設置することにより、メンテナンス板２の開閉に支障がないようにすることもできる。
【００４７】
実施の形態１及び実施の形態２の分煙装置に関して、その消費電力は、脱臭フィルタ２０を装填したものでも強運転時で１台当たり約３．５Ｗと非常に省電力である。平均的なパチンコ店のパチンコ機設置台数は１店舗当たり約３００台であるが、本実施の形態の分煙装置を３００台設置しても、合計の消費電力は１．０５ＫＷと非常に少なく、営業時間を１４時間として連続運転した場合でも、電気代は約１０，０００円／月程度である。騒音については、強運転で約３６ｄＢであるが、弱運転にすることで約３３ｄＢになり、周囲がうるさいこともあり全く気になることがない。
【００４８】
また、脱臭フィルタ２０を通過する風量は、弱運転において１台当たり約４０ｍ3／ｈと非常に少ないが、本製品を３００台設置した場合には合計風量は１２０００ｍ3／ｈとなり、脱臭フィルタ２０の仕様として厚みが約２ｍｍの非常に低圧損で脱臭効率が１５％と低くて安価なものを使用しても、例えば営業時間帯は連続運転することで、大量の空気を脱臭できるため、パチンコ店全体の室内環境が大幅に改善できる。さらには、営業時間外の全ての時間帯も運転することにより、すなわち常時運転した場合には、汚れた空気の淀みがなくなり、換気扇の換気効率も向上しパチンコ店全体の室内環境がより一層改善されることとなる。
【図面の簡単な説明】
【００４９】
【図１】本発明に係る実施の形態１の分煙装置が設置された遊技場の斜視図である。
【図２】分煙装置の右側面側から見た横断面図である。
【図３】分煙装置の正面側から見た横断面図である。
【図４】分煙装置の上面側から見た上面図である。
【図５】分煙装置の下面側から見た底面図である。
【図６】分煙装置の吹出しルーバーを外した状態での下面側から見た底面図である。
【図７】分煙装置の斜め下方正面から見た斜視図である。
【図８】分煙装置の斜め下方正面から見た分解斜視図である。
【図９】分煙装置が形成するエアーカーテンの風速測定位置を示す図である。
【図１０】分煙装置の出力通常の場合の吹出口から５０ｃｍ下方の水平面位置の吹出風速分布を示す説明図である。
【図１１】分煙装置の出力通常、吹出しルーバー調整の場合の吹出口から５０ｃｍ下方の水平面位置の吹出風速分布を示す説明図である。
【図１２】分煙装置の出力通常の場合の吹出口から８０ｃｍ下方の水平面位置の吹出風速分布を示す説明図である。
【図１３】分煙装置の出力通常、吹出しルーバー調整の場合の吹出口から８０ｃｍ下方の水平面位置の吹出風速分布を示す説明図である。
【図１４】分煙装置の出力所定量減の場合の吹出口から５０ｃｍ下方の水平面位置の吹出風速分布を示す説明図である。
【図１５】分煙装置の出力所定量減、吹出しルーバー調整の場合の吹出口から５０ｃｍ下方の水平面位置の吹出風速分布を示す説明図である。
【図１６】分煙装置の出力所定量減の場合の吹出口から８０ｃｍ下方の水平面位置の吹出風速分布を示す説明図である。
【図１７】分煙装置の出力所定量減、吹出しルーバー調整の場合の吹出口から８０ｃｍ下方の水平面位置の吹出風速分布を示す説明図である。
【図１８】本発明に係る実施の形態２の分煙装置が設置された遊技場の斜視図である。
【符号の説明】
【００５０】
１  パチンコ機
２  メンテナンス板
３  正面ガラス
４  パチンコ機本体部
５  上段玉受皿
６  下段玉受皿
７  電動ハンドル
８  操作部
９  データ表示機
１０  データ表示機取付面
１１  テーブル
１２，４２  分煙装置
１３  駆動モータ
１５  基台
１６  軸流ファン
１７  ファンケーシング
１８  吸入口
１９  フィルターホルダー
２０  脱臭フィルタ
２３  吹出口
２４  吹出しルーバー
２５  本体ケース
２６  運転入切スイッチ
２７  出力強弱スイッチ
２８  送風機
３０  吹出しダクト
３２  ドリリングネジ
【図１】
2008005979.tif 000003
【図２】
2008005979.tif 000004
【図３】
2008005979.tif 000005
【図４】
2008005979.tif 000006
【図５】
2008005979.tif 000007
【図６】
2008005979.tif 000008
【図７】
2008005979.tif 000009
【図８】
2008005979.tif 000010
【図９】
2008005979.tif 000011
【図１０】
2008005979.tif 000012
【図１１】
2008005979.tif 000013
【図１２】
2008005979.tif 000014
【図１３】
2008005979.tif 000015
【図１４】
2008005979.tif 000016
【図１５】
2008005979.tif 000017
【図１６】
2008005979.tif 000018
【図１７】
2008005979.tif 000019
【図１８】
2008005979.tif 000020